【事件の表示】
　平成１１年特許願第１７２２４５号「パチンコ機用施錠装置」拒絶査定不服審判事件〔平成１３年　１月　９日出願公開、特開２００１−　　　７０７〕について、次のとおり審決する。
【結　論】
　本件審判の請求は、成り立たない。
【理　由】
第１　手続の経緯
　本願は、平成１１年６月１８日の出願であって、平成１６年３月９日付で拒絶査定がされ、これに対し、同年４月１４日に拒絶査定不服審判が請求されるとともに、同年５月１４日付で手続補正がなされたものである。
　
第２　平成１６年５月１４日付の手続補正についての補正却下の決定
　
［補正却下の決定の結論］
　　平成１６年５月１４日付の手続補正（以下、「本件補正」という。）を却下する。
　
［理由］
１．補正後の本願発明
　本件補正により，特許請求の範囲の請求項１は，
　「取付板と支持板からなる縦長の基枠の内側に、上部と下部に鉤部を一体的に設けた摺動杆が該支持板に沿って摺動可能に配設され、該基枠の取付板にシリンダ錠がその錠軸を内側に差込むように固定され、該錠軸の先端に前記摺動杆と係合するカム板が固定され、前記基枠の取付板がパチンコ機の前面枠に縦に取付けられ、パチンコ機の本体枠側に取付けられた受け金具に前記鉤部が係止されて該前面枠を施錠するパチンコ機用施錠装置であって、
　ガラス枠施錠杆が前記基枠内の取付板の内側面にその平面を接して摺動可能に配設され、該ガラス枠施錠杆の上部と下部にはガラス枠鉤部が該取付板に設けた長孔または開口部から前方に突出させて突設され、該ガラス枠施錠杆の一部に前記カム板が係合可能な係合部が設けられ、パチンコ機のガラス枠の内側に設けた係止部に該ガラス枠鉤部が係止されて該ガラス枠が施錠され、前記シリンダ錠を前記前面枠の解錠時と反対方向に回して該カム板を同方向に回動させることにより、該ガラス枠施錠杆を摺動させて該ガラス枠鉤部と係止部の係合を解き該ガラス枠を解錠するパチンコ機用施錠装置において、
　前記ガラス枠鉤部を突設した前記ガラス枠施錠杆上の該ガラス枠鉤部の近傍位置に長孔が該ガラス枠施錠杆の長手方向に沿って形成され、頭付ガイドピンが該長孔に挿通されて前記基枠の取付板上に固定され、該頭付ガイドピンの頭部で該ガラス枠鉤部近傍の該ガラス枠施錠杆を押えて摺動ガイドすることを特徴とするパチンコ機用施錠装置。」と補正された。
　上記補正は，請求項１に記載した発明を特定するために必要な事項である「ガラス枠施錠杆」について「の内側面にその平面を接して」との限定を付加するものであって，平成１８年改正前特許法１７条の２第４項２号の特許請求の範囲の減縮を目的とするものに該当する。
　そこで，本件補正後の前記請求項１に記載された発明（以下，「本願補正発明」という。）が特許出願の際独立して特許を受けることができるものであるか（平成１８年改正前特許法１７条の２第５項において準用する同法１２６条第５項の規定に適合するか）について以下に検討する。
　
２．引用文献について
（１）引用文献１について
　原査定の拒絶の理由に引用された特開平１１−７６５７５号公報（公開日：平成１１年３月２３日）（以下，「引用文献１」という。）には、以下の事項が図面とともに記載されている。
　
・記載事項１−１
　「【特許請求の範囲】
　　【請求項１】  取付板と支持板からなる基枠体の内側に連結杆が摺動可能に配設され、該支持板の上部と下部に鉤部材が連結杆に連結されて傾動可能に枢支され、該取付板の中間部にシリンダ錠がその錠軸を内側にして固定され、該錠軸の先端に前記連結杆と係合するカム板が固定され、前記基枠体の取付板がパチンコ機の前面枠に縦に取付けられ、本体枠側に取付けられた受け金具に前記鉤部材が係止されて前面枠を施錠するパチンコ機の施錠装置において、
前記取付板の上部と下部に、ガラス扉用鉤部材が進入するための矩形孔が形成され、該矩形孔と連通する矩形の係止孔を有するガラス扉施錠用の摺動杆が該基枠体の内側に摺動可能に配設され、該摺動杆の一部が前記カム板と係合可能に形成され、ガラス扉の内側に突設したガラス扉用鉤部材が該矩形孔に進入し該係止孔に係止されてガラス扉が施錠され、前記シリンダ錠を前面枠の解錠時と反対方向に回して該カム板を同方向に回動させ、ガラス扉施錠用の摺動杆を摺動させてガラス扉を解錠することを特徴とするパチンコ機の施錠装置。」
　　　
・記載事項１−２
　「【００１５】（中略）１は縦長の基枠体で、支持板３の前と後に取付板２、１２を略直角に相互に逆方向に曲折した形状に一体成形される。」
　
・記載事項１−３
　「【００１７】鉤部材４、５は三角形頭部を有しその中間部に係合凹部を有している。基枠体１の内側には、図３に示すように、支持板３に沿って連結杆６が摺動可能に配設され、連結杆６の上端は鉤部材４の末端に連結ピン４ｂで連結され、連結杆６の下端は同様に下部の鉤部材５の末端に連結ピン５ｂで連結される。連結杆６は支持板３の一部を切り起したガイド部３ｂによりその摺動をガイドされ、外れを防止している。この鉤部材４、５及びそれを動かす連結杆６は、パチンコ機の前面枠用の施錠機構を構成する。
　【００１８】連結杆６の下部の取付板２側に突起部６ａが突設され、その突起部６ａに対向した取付板２の位置に異形の孔が穿設され、シリンダ錠７が取付板２の外側からその錠軸を内側に挿入するように、取付板２にねじ又はかしめで固定される。」
　
・記載事項１−４
　「【００２０】さらに、基枠体１の内側の取付板２上には、上記取付の矩形孔２ａ，２ｂと連通する矩形の係止孔１４，１５を有するガラス扉施錠用の摺動杆１６が基枠体内を摺動可能に配設される。係止孔１４，１５は後述のガラス扉用鉤部材２６、２７が進入して係止可能な大きさと位置に配置される。摺動杆１６は断面Ｌ字状に形成され、取付板２と支持板３との角部に摺動可能に配設され、取付板側に向けて突設された頭付きピン１８を取付板２上の長孔２ｃに係合させ、所定の範囲で移動可能とされる。」
　
・記載事項１−５
　「【００２１】摺動杆１６の下端でカム板８の近傍にには係合孔部１６ｂが設けられ、図４の時計方向にカム板８が回動された時、図１０、図１１のように、カム板８の係合部８ｂがその係合孔部１６ｂに係合し、摺動杆１６が下に移動する。この摺動杆１６の下降により、後述のガラス扉用鉤部材２７との係合をはずし、ガラス扉を解錠する。」
　
・記載事項１−６
　「【００２６】一方、ガラス扉２２を前面枠２１に対して閉じると、図１２から図１３に示すように、ガラス扉２２側のガラス扉用鉤部材２６、２７が取付板２の長孔２ａ、２ｂから摺動杆１６の係止孔１４、１５内に進入する。そして、摺動杆１６を下方に摺動させながら進入して、係止孔１４，１５に鉤部材２６，２７が係止され、ガラス扉２２は施錠状態となる。」
　
・記載事項１−７
　「【００２７】ガラス扉を解錠する場合は、シリンダ錠７のキーを逆方向に回して、カム板８を図４の時計方向へ回動させると、カム板８の係合部８ｂが摺動杆１６の係合孔１６ｂと係合してこれを下方へ摺動させる。この摺動杆１６の下降により、図１０、図１１に示すように、係止孔１４、１５と鉤部材２６、２７との係合が外れて、ガラス扉２２が解錠される。」
　
　以上の記載事項１−１〜１−７及び図１〜１３によれば、引用文献１には次の発明が記載されていると認められる。
「取付板２と支持板３からなる縦長の基枠体１の内側に上部と下部に鉤部材４、５を連結した連結杆６が前記支持板３に沿って摺動可能に配設され、該基枠体１の取付板２にシリンダ錠７がその錠軸を内側に挿入するように固定され、該錠軸の先端に前記連結杆６と係合するカム板８が固定され、前記基枠体１の取付板２がパチンコ機の前面枠２１に縦に取付けられ、パチンコ機の本体枠側に取付けられた受け金具に前記鉤部材４、５が係止されて該前面枠２１を施錠するパチンコ機の施錠装置であって、
　ガラス扉施錠用の摺動杆１６が前記基枠体１内の取付板２と支持板３との角部に摺動可能に配設され、該ガラス扉施錠用の摺動杆１６の上部と下部に係止孔１４、１５を設け、該ガラス枠施錠用の摺動杆１６の一部に前記カム板８が係合可能な係合孔部１６ｂが設けられ、パチンコ機のガラス扉２２の内側に突設したガラス扉用鉤部材２６、２７が前記係止孔１４、１５に係止されてガラス扉が施錠され、前記シリンダ錠７を前記前面枠２１の解錠時と反対方向に回して該カム板８を同方向に回動させることにより、該ガラス扉施錠用の摺動杆１６を摺動させて前記係止孔１４、１５と前記ガラス扉用鉤部材２６、２７の係合をはずし該ガラス扉２２を解錠するパチンコ機用施錠装置において、
　前記係止孔１４、１５が形成された前記ガラス扉用の摺動杆１６の前記係止孔１４、１５の下部に突設した頭付きピン１８を、前記取付板２上の長孔２ｃに係合させ、所定の範囲で移動可能とするパチンコ機用施錠装置。」（以下、「引用文献１記載の発明」という。）
　
（２）引用文献２について
  原査定の拒絶の理由に引用された特開平９−１１７５５４号公報（公開日：平成９年５月６日）（以下，「引用文献２」という。）には、以下の事項が図面とともに記載されている。
　
・記載事項２−１
　「【００２４】第１可動錠板１４の上下端部には、ベース錠板１３の取付け板１３ａの後方へ突出され、表枠２の閉止時に機台枠１の第１受け金具５に解離可能に掛止される上下１対の第１ロック爪２５が形成され、この両第１ロック爪２５には第１受け金具５の受け爪５ａが解離可能に係合された係合部２５ａと、第１ロック爪２５が第１受け金具５の受け爪５ａの上端縁に当接した状態で表枠２を後方へ押動したときに第１可動錠板１４が第１受け金具５によって押上げられるように傾斜したガイド縁２５ｂとがそれぞれ形成されている。」
　
・記載事項２−２
　「【００２６】第２可動錠板１５の上下端部および中央部付近にはガイドピン１８，１９が挿通された縦長状の挿通孔１５ａが貫設されるとともに、」
　
・記載事項２−３
　「【００２７】第２可動錠板１５の上下端部にはベース錠板１３の取付け板１３ａを貫通してその前方へ突出され、金枠３の閉止時に第２受け金具６に解離可能に掛止される上下１対の第２ロック爪２７が形成され、」
　
３．対比
　引用文献１記載の発明と本願補正発明を対比すると、引用文献１記載の発明の「基枠体１」、「鉤部材４、５」、「連結杆６」、「挿入するように」、「ガラス扉施錠用の摺動杆１６」、「係合孔部１６ｂ」、「ガラス扉２２」、「係合をはずし」は、本願補正発明の「基枠」、「鉤部」、「摺動杆」、「差し込むように」、「ガラス枠施錠杆」、「係合部」、「ガラス枠」、「係合を解き」にそれぞれ相当する。
　そして、引用文献１記載の発明の「ガラス扉２２の内側に突設したガラス扉用鉤部材２６、２７」及び「ガラス扉施錠用の摺動杆１６の係止孔１４、１５」、本願補正発明の「ガラス枠の内側に設けた係止部」及び「ガラス枠鉤部」は、ガラス枠施錠杆がガラス枠を係止するための「係止機構」を構成するものである。また、引用文献１記載の発明の「長孔２ｃ」及び「頭付きピン１８」、本願補正発明の「長孔」及び「頭付きガイドピン」は、いずれもガラス枠施錠杆の「摺動ガイド手段」を構成するものである。
　更に、引用文献１において、「係止孔１４，１５」と「頭付きピン１８」が近傍位置にあると明記されていないものの、その図１、図１０の図示からみて「近傍位置」と解するのが自然である。
　また、引用文献１において、ガラス扉施錠用の摺動杆１６が取付板２と支持板３との角部に摺動可能に配設した旨の記載はあるものの、摺動杆１６が取付板にその平面を接しているとの明記はされていないが、図３，１０の図示及びガラス扉施錠用の摺動杆１６が取付板２に頭付きピン１８で移動可能とされている点から、ガラス扉施錠用の摺動杆１６は取付板２の内側面にその平面を接して摺動可能となっていると解することが自然である。
　したがって、両者は、
　「取付板と支持板からなる縦長の基枠の内側に、上部と下部に鉤部を設けた摺動杆が該支持板に沿って摺動可能に配設され、該基枠の取付板にシリンダ錠がその錠軸を内側に差し込むように固定され、該錠軸の先端に前記摺動杆と係合するカム板が固定され、前記基枠の取付板がパチンコ機の前面枠に縦に取付けられ、パチンコ機の本体枠側に取付けられた受け金具に前記鉤部が係止されて該前面枠を施錠するパチンコ機用施錠装置であって、
　ガラス枠施錠杆が前記基枠内の取付板の内側面にその平面を接して摺動可能に配設され、該ガラス枠施錠杆の上部と下部には係止機構の一方が設けられ、該ガラス枠施錠杆の一部に前記カム板が係合可能な係合部が設けられ、パチンコ機のガラス枠の内側に設けた係止機構の他方に前記係止機構の一方が係止されて該ガラス枠が施錠され、前記シリンダ錠を前記前面枠の解錠時と反対方向に回して該カム板を同方向に回動させることにより、該ガラス枠施錠杆を摺動させて係止機構の一方と他方の係合を解き、該ガラス枠を解錠するパチンコ機用施錠装置において、
　係止機構の一方を設けた前記ガラス枠施錠杆上の係止機構の一方の近傍位置に長孔と頭付きガイドピンからなる摺動ガイド手段を設けたことを特徴とするパチンコ機用施錠装置。」である点で一致し、以下の各点で相違する。
　
＜相違点１＞
　上部と下部に設けられた鉤部が摺動杆に、本願補正発明においては一体的に設けられたものであるのに対して、引用文献１記載の発明では一体的でない点。
　
＜相違点２＞
　ガラス枠施錠杆がガラス枠を係止するための「係止機構」は、本願補正発明においては取付板に設けた長孔または開口部から前方に突出させてガラス枠施錠杆に突設させたガラス枠鉤部及びガラス枠の内側に設けた係止部からなるのに対して、引用文献１記載の発明においてはガラス扉２２の内側に突設したガラス扉用鉤部材２６，２７及びガラス扉施錠用の摺動杆１６に設けた係止孔１４，１５からなる点。
　
＜相違点３＞
　ガラス枠施錠杆の「摺動ガイド手段」は、本願補正発明においてはガラス枠施錠杆の長手方向に形成された長孔及び長孔に挿通されて取付板上に固定され頭部でガラス枠施錠杆を押さえて摺動ガイドする頭付きガイドピンからなるのに対して、引用文献１記載の発明では取付板２の長手方向に形成された長孔２ｃ及び長孔２ｃに挿通されてガラス扉施錠用の摺動杆１６に突設された頭付きピン１８からなる点で相違している。
　
４．判断
　上記相違点について検討する。
　
＜相違点１について＞
  上記した記載事項２−１の「【００２４】第１可動錠板１４の上下端部には、ベース錠板１３の取付け板１３ａの後方へ突出され、表枠２の閉止時に機台枠１の第１受け金具５に解離可能に掛止される上下１対の第１ロック爪２５が形成され、」との記載及び図１〜６の図示に基づけば、引用文献２に記載された技術事項の第１可動錠板１４の上下端部には第１ロック爪２５が一体的に形成されているものと解される。
　そして、引用文献２に記載された技術事項の「第１可動錠板１４」「第１ロック爪２５」は、それらの機能からみて、本願補正発明の「摺動杆」「鉤部」にそれぞれ相当するから、引用文献２に記載された技術事項である「第１可動錠板１４の上下端部には第１ロック爪２５が一体的に形成されている」は、「摺動杆の上部と下部には鉤部が一体的に設けられている」と言い換えることができる。
　また、引用文献１記載の発明と引用文献２に記載された技術事項は、ともにパチンコ機の技術分野における施錠装置に関するものであるから、引用文献２に記載された技術事項である「摺動杆の上部と下部には鉤部が一体的に設けられている」を参酌して、引用文献１記載の発明において鉤部を摺動杆と一体的に設けるようにし、上記相違点１に係る構成とすることは当業者が容易に成し得る程度のことである。
　
＜相違点２について＞
　上記した記載事項２−３の「【００２７】第２可動錠板１５の上下端部にはベース錠板１３の取付け板１３ａを貫通してその前方へ突出され、金枠３の閉止時に第２受け金具６に解離可能に掛止される上下１対の第２ロック爪２７が形成され、」との記載及び図１〜６の図示に基づけば、引用文献２には「取付け板１３ａを貫通して前方に突出させて第２可動錠板１５に突設した第２ロック爪２７及び金枠の内側に設けた第２受け金具６」からなる係止機構が記載されている。
  そして引用文献２に記載された技術事項の「取付け板１３ａ」、「第２可動錠板１５」、「第２ロック爪２７」、「金枠」、「第２受け金具６」は、それらの機能からみて、本願補正発明の「取付板」、「ガラス枠施錠杆」、「ガラス枠鉤部」、「ガラス枠」、「係止部」にそれぞれ相当する。また、板体である「第２ロック爪２７」を「貫通」させるためには、「取付け板１３ａ」には長孔または開口部が設けられているものと解される。
　したがって、引用文献２には、「取付板の長孔または開口部から前方に突出させてガラス枠施錠杆に突設させたガラス枠鉤部及びガラス枠の内側に設けた係止部からなる」係止機構に関する技術事項が記載されている。
  また、引用文献１記載の発明と引用文献２に記載された技術事項は、ともにパチンコ機の技術分野における施錠装置に関するものであるから、引用文献２に記載された技術事項である「取付板の長孔または開口部から前方に突出させてガラス枠施錠杆に突設させたガラス枠鉤部及びガラス枠の内側に設けた係止部からなる」係止機構を引用文献１記載の発明において採用し、上記相違点２に係る構成とすることは当業者が容易に成し得る程度のことである。
　
＜相違点３について＞
　引用文献１に記載された発明の「長孔２ｃ」、「頭付きピン１８」は、それらの機能からみて、本願補正発明の「長孔」、「頭付きガイドピン」にそれぞれ相当するから、上記相違点３は、「長孔」、「頭付きガイドピン」を、ガラス枠施錠杆、取付板の何れに設けるかの相違によるものである。そして、「摺動ガイド手段」を構成する本願補正発明及び引用文献１記載の発明の「長孔」を本願発明のようにガラス枠施錠杆に設けるか、引用文献１記載の発明のように取付板に設けるか（「長孔と対をなして「摺動ガイド手段」を構成する「頭付きガイドピン」は設けられる対象が「長孔」と逆になる）は、格別作用効果に差異を生じさせるものでないから、単なる設計事項である。また、仮にそうでないとしても、摺動ガイド手段の「挿通孔１５」（本願補正発明の「長孔」に相当する）を第２可動錠板１５（本願補正発明の「ガラス枠施錠杆」に相当する）に設けることは、上記記載事項２−２で示したように引用文献２に記載されているから、当業者であれば容易に成し得る程度のことである。なお、「頭付きガイドピン」の「頭」は、そもそも部材を押さえつけるために設けられたものであるということは技術常識である。
　
　相違点１〜３に係る補正発明の構成を採用することは設計事項であるか又は当業者にとって容易に想到容易であり、これら構成を採用したことによる格別の作用効果を認めることできない。
　したがって，本願補正発明は，引用文献１及び２に記載された発明に基づいて，当業者が容易に発明をすることができたものであるから，特許法２９条２項の規定により特許出願の際独立して特許を受けることができないものである。
　
５．むすび
　以上のとおり，本件補正は，平成１８年改正前特許法１７条の２第５項で準用する同法１２６条第５項の規定に違反するものであり，同法１５９条第１項で準用する同法５３条第１項の規定により却下されるべきものである。　
第３　本件審判請求についての判断
１．本願発明の認定
　平成１６年５月１４日付の手続補正は上記のとおり却下されたので，本願の請求項１に係る発明（以下，「本願発明」という。）は，平成１６年１月２３日付手続補正書の特許請求の範囲の請求項１に記載された事項により特定される，以下のとおりのものである。
　「取付板と支持板からなる縦長の基枠の内側に、上部と下部に鉤部を一体的に設けた摺動杆が該支持板に沿って摺動可能に配設され、該基枠の取付板にシリンダ錠がその錠軸を内側に差込むように固定され、該錠軸の先端に前記摺動杆と係合するカム板が固定され、前記基枠の取付板がパチンコ機の前面枠に縦に取付けられ、パチンコ機の本体枠側に取付けられた受け金具に前記鉤部が係止されて該前面枠を施錠するパチンコ機用施錠装置であって、
　ガラス枠施錠杆が前記基枠内の取付板に沿って摺動可能に配設され、該ガラス枠施錠杆の上部と下部にはガラス枠鉤部が該取付板に設けた長孔または開口部から前方に突出させて突設され、該ガラス枠施錠杆の一部に前記カム板が係合可能な係合部が設けられ、パチンコ機のガラス枠の内側に設けた係止部に該ガラス枠鉤部が係止されて該ガラス枠が施錠され、前記シリンダ錠を前記前面枠の解錠時と反対方向に回して該カム板を同方向に回動させることにより、該ガラス枠施錠杆を摺動させて該ガラス枠鉤部と係止部の係合を解き該ガラス枠を解錠するパチンコ機用施錠装置において、
　前記ガラス枠鉤部を突設した前記ガラス枠施錠杆上の該ガラス枠鉤部の近傍位置に長孔が該ガラス枠施錠杆の長手方向に沿って形成され、頭付ガイドピンが該長孔に挿通されて前記基枠の取付板上に固定され、該頭付ガイドピンの頭部で該ガラス枠鉤部近傍の該ガラス枠施錠杆を押えて摺動ガイドすることを特徴とするパチンコ機用施錠装置。」　
　
２．本願発明の進歩性の判断
　（１）引用文献
　原査定の拒絶の理由に引用された引用文献，及びその記載事項は，前記第２の２．に記載したとおりである。　
　（２）対比・判断
　本願発明は，前記第２で検討した本願補正発明から「ガラス枠施錠杆」の限定事項である「の内側面にその平面を接して」との構成を省いたものである。
　そうすると，本願発明の構成要件をすべて含み，さらに他の構成要件を付加したものに相当する本願補正発明が，前記第２の４．に記載したとおり，引用文献１，２に基づいて，当業者が容易に発明をすることができたものであるから，本願発明も同様の理由により，引用文献１及び２に基づいて，当業者が容易に発明をすることができたものである。　
　
第４　むすび
　以上のとおり，本願発明は，引用文献１及び２に記載された発明に基づいて，当業者が容易に発明をすることができたものであるから，特許法第２９条２項の規定により特許を受けることができない。
　よって，結論のとおり審決する。